(57)【要約】【課題】三角くじ開被に際し、両手でミシン目を切って裏表を剥す必要がなく、片手で容易に開被でき、裏表を一度剥がしたら二度とつくことなく、切屑が出ず、そして仕上がりが綺麗なワンタッチ三角くじを提供する。【解決手段】直角二等辺三角形状上質紙片２枚の夫々の裏面を対向させ、夫々の三辺に沿って所定幅を糊付けした一部合紙の三角くじにおいて、該合紙がされないで中空状態の中央部直角二等辺三角形面の二等辺とこれに接する糊付け面との境界線上に切刃を入れて切刃線を形成し、該切刃線に４箇所の止め刃を残し、該切刃線が交差する頂部にＲ３の丸みを持たせて両切刃線を連絡接続し、そして前記合紙がされない三角形部分の内面に剥離ニスを塗布してなるワンタッチ三角くじ。【選択図】        図１
2004160738.tif 000002
【特許請求の範囲】
【請求項１】
直角二等辺三角形状上質紙片２枚の夫々の裏面を対向させ、夫々の三辺に沿って所定幅を糊付けした一部合紙の三角くじにおいて、該合紙がされないで中空状態の中央部直角二等辺三角形面の二等辺とこれに接する糊付け面との境界線上に切刃（刃先で紙を切断し、一定間隔で切断しない小部分すなわち止め刃を残して被切断紙の一体性を維持すること）を入れて切刃線を形成し、該切刃線が交差する頂部に丸みを持たせて両切刃線を連絡接続し、そして前記合紙がされない三角形部分の内面に剥離ニスを塗布してなることを特徴とするワンタッチ開被可能な三角くじ（以下、ワンタッチ三角くじという）。
【請求項２】
前記境界線上に入れられる前記切刃線が、該切刃線上所要間隔を置いて切断紙片連結のための止め刃が形成されてなる請求項１記載のワンタッチ三角くじ。
【請求項３】
該切刃線が交差する頂部の丸みが、Ｒ３の弧をなす請求項１記載のワンタッチ三角くじ。
【請求項４】
上質紙の裏側白紙面上に、合紙がされない三角形部分の多数を規則正しく配置し、該各三角形部分の面に剥離ニスを塗布乾燥させ、次に該各三角形部分の面以外の余白に特殊糊を塗布し、前記上質紙と同形の上質紙を重ね合わせ、例えば全自動合紙機にかけるなどにより、圧着糊付けして合紙上質紙とし、前記各三角形部分の面相互間の境界および該三角形部分の二等辺縁上に切刃線を入れ、そして開被用切刃線が入れられたワンタッチ三角くじをビク抜き（構成物をばらばらに分解して目的物を得ること）して得ることを特徴とするワンタッチ三角くじの製法。
【発明の詳細な説明】
【０００１】
【産業上の利用分野】
この発明は、ワンタッチ三角くじとその製法に関する。
【０００２】
【従来の技術】
商店街や大型店などでは、年末や盆など売上増が期待できる繁忙期における商品大売出しの際、または人が沢山集まる各種催しが開催さる際などに、顧客の関心を呼び、大勢の人の益々の参集を期し、購入額に応じもしくは無料で三角くじを顧客に手渡している。
【０００３】
三角くじには被覆部を銀貨のギザギザで削り取ったりするものもあるが、オープン型が一般的である。オープン型三角くじの場合、顧客はその場でこれを開被し、中に書かれた当籤の等級を確認し、その等級に相当する賞品を受領する。三角くじは、抽選箱に入れられ、くじの所持者はこの箱に片手を入れ、手に触った三角くじの何れかを無作為に取り出すのが普通である。何が当るか分らないから、未知の魅力がある。それが人を惹きつける。このことが三角くじを発行する所以でもある。
【０００４】
三角くじを開被する前から、中に書かれた内容が判ったのでは、本来の趣旨は失われる。そのため、三角くじに使用される紙片は、当籤名が書かれた面を除く３面は濃い色の印刷がなされ、中が透けて見えないようにしてある。この思想の延長からか、図４に示すように、三角くじの二等辺の糊付け幅の内縁に沿って、一方の辺には他方の辺縁（ａ）から底辺の糊付け幅の前（ｂ）まで、そして他方の辺には上記（ｃ）から底辺の糊付け幅の前（ｄ）までミシン目を入れている。
【０００５】
そのため、三角くじを手にした顧客は、両手で先ず（ａ）から（ｂ）まで破り、次に（ｃ）から（ｄ）まで破ると初めて、糊付けしてない三角紙片が自由になって、糊付けを剥すことができ、中に書かれた等級を判別できるようになる。何れにせよ、荷物を持ち、小さい子供連れのときは、両手を使うのは厄介なことが多い。また、両手で同じ動作を二度繰り返すことから、手の自由度が上り、最初に破った紙片を、もしくは次に破った紙片も併せて捨てることが予想される。
【０００６】
【発明の解決すべき課題】
そこで、片手で容易に開被でき、破り屑が出ず、中を透かして見ることができないワンタッチ三角くじを提供するのが、この発明の目的である。
【０００７】
【課題を解決するための手段】
この目的を達成するため、請求項１記載の発明は、直角二等辺三角形状上質紙片２枚の夫々の裏面を対向させ、夫々の三辺に沿って所定幅を糊付けした一部合紙の三角くじにおいて、該合紙がされないで中空状態の中央部直角二等辺三角形面の二等辺とこれに接する糊付け面との境界線上に切刃を入れて切刃線を形成し、該切刃線が交差する頂部に丸みを持たせて両切刃線を連絡接続し、そして前記合紙がされない三角形部分の内面に剥離ニスを塗布してなるワンタッチ三角くじである。
【０００８】
この目的を達成するため、請求項２記載の発明は、前記境界線上に入れられる前記切刃線が、該切刃線上所要間隔で止め刃が形成されてなるワンタッチ三角くじである。
【０００９】
この目的を達成するため、請求項３記載の発明は、前記切刃線が連絡接続する頂部の丸みが、Ｒ３の弧をなすワンタッチ三角くじである。
【００１０】
上質紙の裏側白紙面上の各三角面に剥離ニスを２度塗りして乾燥させ、次に該各三角面以外の余白に特殊糊を塗布し、前記上質紙と同形の上質紙を重ね合わせて全自動合紙機にかけるなどして、圧着糊付けして合紙上質紙とした後、前記各三角面相互間の境界および該三角の二等辺縁上に切刃線を入れ、そしてビク抜きして開被用切刃線が入れられたワンタッチ三角くじを得る製法である。
【００１１】
【発明の実施の態様】
本発明の実施の態様について、以下図面を用いて説明する。図１は、本発明のワンタッチ三角くじ（１）の平面図である。ワンタッチ三角くじ（１）は平面形状が直角二等辺三角形で、同形の上質紙片２枚を糊付けて貼り合わせたものである。糊付けは三辺とも同じ幅、すなわち二等辺と切刃線（２）の間、および底辺と糊付面境界線（９）の間に施されている。従って、切刃線（２）は糊付け境界線上に入れられており、切刃線（２）と糊付面境界線（９）が形成する三角形部分の内側には、商品や当選番号等が記載され、かつ剥離ニスが塗布されているので、両紙片を容易に剥すことができる。切刃線（２）は若干の止め刃（４）が残され、ワンタッチ三角くじ（１）の一体形状性が保持される。切刃線（２）と糊付面境界線（９）が形成する三角形部分は、用済み後も分離しない構成のため、切屑として捨てられる恐れは少ない。
【００１２】
図１の切刃線（２）に、止め刃（４）が４箇所ある。止め刃（４）は多すぎれば切刃線（２）が切れにくくなり、少なすぎれば切れすぎて、密封の役目を果たせなくなる。三角くじの開被防止には４箇所で十分であるので、これを採用した。因みに、ワンタッチ三角くじ（１）は、切刃線が入れられた大型紙からビク抜きして得られるため、ワンタッチ三角くじ（１）の周辺に止め刃（４）の跡（切刃線上に黒点で示す）が残されている。ビク抜きには、止め刃は必要最小限でよいのでその数は少なくなっている。
【００１３】
図１の切刃線（２）が接続する頂部は、丸み（３）が形成されている。丸み（３）は、Ｒ３の弧を持たせた。Ｒ３の弧が、人の親指の先端の弧にほぼ一致するからである。この丸み（３）の部分に人差し指の先端を当てて、軽く先端を曲げて押すだけで丸み（３）は本体から離れ、続いて止め刃（４）も簡単に切れ、中央部に形成された三角面の合紙も簡単に２枚に剥がれて開被することができる。
【００１４】
図２は、上質紙（５）の裏側白紙面に、くじ当選内容記載面である三角面（６）の９６個を規則正しく配置した状況を示す。用紙は、原紙を型抜きして菊半裁版の上質紙（５）（４／６版、９０／ｇ）を用いた。この紙はカールもせず、くっついてしまうこともなく、厚みも普通、経済的で、ごみもつかない。上質紙（５）は、先ず両面およびまたは片面が印刷される。図２は片面印刷、すなわち上質紙（５）の表側（図２の背頁側）が、印刷限界線（７）で囲まれた面に濃色印刷がされている。図２は、上質紙（５）の裏側白紙面を示す。この裏側白紙面上の各三角面（６）には、先ず剥離ニスを２度塗りし、乾燥させる。乾燥不十分だと融合してしまうので要注意である。剥離ニス以外のニスではくっ付いてしまい使えない。濃さも最適に調整する要がある。
【００１５】
次に、各三角面（６）以外の余白に特殊糊（ＣＮ−１５０番、小西ボンド社製）を塗布する。そして、上述の上質紙（５）と同形の上質紙を重ね合わせて全自動合紙機にかけ、圧着糊付けして合紙上質紙（５１）を得る。後から重ね合わせた上質紙は、両面濃色印刷し、糊付けは必ずしも必要ではない。
【００１６】
図３は、ビク抜きとワンタッチ三角くじ形成のために切刃線（２１）と切刃線（２）が入れられた合紙上質紙（５１）の平面図である。ビク抜きには切刃線（２１）が、ワンタッチ三角くじ形成のためには切刃線（２）が夫々使用される。容易に切れるように、切刃線（２１）は、切刃線（２）より止め刃（４）を疎に入れられている。
【００１７】
【発明の効果】
請求項１の発明に係るワンタッチ三角くじによれば、両手でミシン目を切ってから、裏表を剥す必要はなく、頂部を丸めた切刃線の部分を軽く押すだけで切れるので片手で容易に開被でき、裏表を一度剥がしたら二度とつくことはなく、切屑が出ず、そして従来品に比し綺麗に仕上がったワンタッチ三角くじを提供することができる。
【００１８】
請求項２の発明に係るワンタッチ三角くじによれば、切刃線は弱い力で切れるので、丸み部分を軽く押すだけで切れ、片手で容易に裏表を剥がすことができる。
【００１９】
請求項３の発明に係るワンタッチ三角くじによれば、切刃線が接続する頂部の丸みが、Ｒ３の弧をなすので、人の人差し指の先端にぴたり一致し、ここを押すのに極めて好都合である。
【００２０】
請求項３の発明に係るワンタッチ三角くじの製法によれば、工程は簡素で、特種材料を使用することもなく、安価、大量に見栄えのよいワンタッチ三角くじを提供することができる。
【図面の簡単な説明】
【図１】ワンタッチ三角くじ（１）の平面図である。
【図２】くじの当選内容等記載の三角面（６）の９６個を規則正しく配置した状況を示す上質紙（５）裏側白紙面の平面図である。
【図３】ビク抜きとワンタッチ三角くじ形成のために切刃線（２１）と同（２）が入れられた合紙上質紙（５１）の平面図である。
【図４】従来の三角くじの平面図である。
【符号の説明】
１    ワンタッチ三角くじ
２、２１    切刃線
３    切刃線（２）の丸み
４    止め刃
５    上質紙
６    三角面
７    印刷限界線
８    ミシン目
９    糊付面境界線
５１    合紙上質紙
【図１】
2004160738.tif 000003
【図２】
2004160738.tif 000004
【図３】
2004160738.tif 000005
【図４】
2004160738.tif 000006